(57)【要約】【課題】軸筒が前軸と後軸からなる回転繰出式筆記具において、ポケット等に装着した際に、振動等により前軸が後軸に対して回転しないような構造とする。【解決手段】クリップのクリップ片の裏面に後軸の外周面に向かって突出した突起部を形成する。該突起部に対向した後軸の外周面に貫通した係合孔を形成する。該係合孔に係合する弾性部材で後軸の内壁面に向かって付勢した係合体を、前軸に連設した内筒体の外周面に設ける。筆記体の筆記先端が前軸の先端開口部に没入した状態では、前記係合体が前記係合孔に対向して位置し、クリップの突起部が係合孔に嵌入して係合体に当接し、該係合体を後軸内に没入させる。クリップのクリップ片が持ち上がり前記突起部が前記係合孔から離脱した際には、前記係合体が前記係合孔に係合し、後軸が前軸に対して回転不能とする。【選択図】図１
2005205743.tif 000002
【特許請求の範囲】
【請求項１】
軸筒を前軸と後軸とに形成して、前軸と後軸を互いに回転可能に連設し、前軸に連動して回転可能に設けた内筒体の内部に配設した、後軸に連動して回転可能な回転カムと軸筒内に収納した１つ又は複数の筆記体の後端に連接した摺動体とで、後軸が前軸に対して回転することにより、回転カムに形成したカム斜面と該カム斜面に当接する摺動体のカム突起とのカム作用で筆記体を前後動させ、筆記体の筆記先端部を前軸の先端開口部より出没させてなる回転繰出機構を有し、軸筒の外側面にクリップを配設した回転繰出式筆記具において、クリップのクリップ片に後軸の外周面に向かって突出した突起部を形成し、該突起部に対向した後軸の外周面に貫通した係合孔を形成し、該係合孔に係合可能であって突起部に当接可能な、弾性部材で後軸の内壁面に向かって付勢した係合体を内筒体の外周面に付設し、筆記体の筆記先端が前軸の先端開口部に没入した状態では、係合体が係合孔に対向して位置し、クリップの突起部が係合孔に嵌入して係合体に当接し、該係合体を後軸内に没入させ、後軸を前軸に対して回転可能ならしめ、クリップのクリップ片が持ち上がり突起部が係合孔から離脱した際には、係合体が係合孔に係合することにより後軸が前軸に対して回転不能とならしめたことを特徴とする回転繰出式筆記具。
【請求項２】
前記突起部が、クリップ片の先端部に設けた後軸の外側面に向かって突出した玉部である、請求項１に記載の回転繰出式筆記具。
【発明の詳細な説明】
【技術分野】
【０００１】
本発明は、後軸を前軸に対して回転させることにより、軸筒内に収納した筆記体の筆記先端部を前軸の先端開口部より出没する回転繰出式筆記具において、ポケット等に装着した際に、知らぬ間に後軸が前軸に対して回転して筆記体の筆記先端部が前軸の先端開口部より突出しないようなセーフティー機構を設けた回転繰出式筆記具に関するものである。
【背景技術】
【０００２】
従来軸筒を前軸と後軸とに形成して、前軸と後軸を互いに回転可能に連設し、前軸に連動して回転可能に設けた内筒体の内部に配設した、後軸に連動して回転可能な回転カムと軸筒内に収納した１つ又は複数の筆記体の後端に連接した摺動体とで、後軸が前軸に対して回転することにより、回転カムに形成したカム斜面と該カム斜面に当接する摺動体のカム突起とのカム作用で筆記体を前後動させ、筆記体の筆記先端部を前軸の先端開口部より出没させてなる回転繰出機構を有し、軸筒の外側面にクリップを配設した回転繰出式筆記具は知られている。
【０００３】
ところで、筆記具はポケット等に挿着して携帯されることが多いが、その際、軸筒の先端開口部から筆記体の筆記先端部が突出した状態で、あるいは携帯中に、軸筒の先端開口部から筆記体の筆記先端部が突出してしまい、筆記先端部がポケット等の布地に触れ、筆記体に収納されたインキによりポケットを汚してしまうという問題が多々ある。
【０００４】
こうした問題を解決するために、軸筒の後端より突出したノック棒を押圧することにより、軸筒内に収納した筆記体の筆記先端部を軸筒の先端開口部より出没させるノック式筆記具においては、ポケット等に挿着する際に、軸筒の先端開口部から筆記体の筆記先端が突出していても、自動的に筆記先端部が軸筒の先端開口部に没入したり、軸筒の先端開口部から筆記体の筆記先端が出ている状態ではポケット等に挿着できないようにしたり等のセーフティー機構を有したものが多数提案されている。
【０００５】
例えば、実開昭６１−１８３６９１号公報により、「先軸の後端外周部にキャップを軸方向に稼働自在に接合し、リターンスプリングによって後方へ付勢されたリフィールの後端面を受ける内筒を軸方向に可動自在に先軸内に収納すると共にその後端部をキャップに一体的に連結し、キャップに固着したクリップの玉部にはキャップへの当接部とクリップの表面に開口する孔を設けて押ボタンをノック動自在に装入し、クリップの玉部の孔に対向するキャップに窓部を設けると共に先軸内の内筒に於けるクリップの玉部の孔に対向する位置に弾性的に突出自在な係止部材を設置し、キャップを前方にスライドさせて内筒を介してリフィールの筆先部をリターンスプリングに抗して軸先端口から突出させた状態で内筒の係止部材又はクリップの玉部の孔の位置に対応する先軸に内筒の係止部材が貫出可能な窓部を設け、リフィールの筆先部が軸先端口から突出している状態では係止部材が先軸の窓部及びキャップの窓部を貫通して押ボタンの頂部がクリップ表面上に突出するまで押し上げるように玉部の孔内に嵌入した状態を維持し、押ボタンをノックして係止部材を先軸の窓部内面にまで没入させた時点でリターンスプリングによってリフィールが軸内部に没入するように構成されたことを特徴とする筆記具。」なるものが提案されている。
【０００６】
前記したような回転繰出式筆記具においてもポケット等に挿着して携帯した際に、振動等により前軸が後軸に対して回転してしまうことがあり、筆記体の筆記先端部が前軸の先端開口部より突出し、筆記先端部がポケット等の布地に触れ、筆記体に収納されたインキによりポケットを汚してしまうという問題があるが、現実問題として頻繁に起こる問題ではないので、前記のようなセーフティー機構に関しての提案はなされていないのが現状であった。
【０００７】
本願発明者はこうした事実に鑑み、回転繰出式筆記具において、ポケット等に挿着して携帯した際に、軸筒内に収納された筆記体の筆記先端部が前軸の先端開口部より突出し、筆記先端部がポケット等の布地に触れ、筆記体に収納されたインキによりポケットを汚してしまうことがないようにセーフティー機構を設けることを検討した。
【０００８】
セーフティー機構としては、
１）筆記体の筆記先端部が軸筒の先端開口部より突出した状態ではポケット等に挿着できない構造、
２）筆記体の筆記先端部が軸筒の先端開口部より突出した状態で、ポケット等に挿着使用としてクリップのクリップ片を持ち上げると、自動的に筆記先端部が軸筒の先端開口部に没入する構造、
３）ポケット等に挿着した状態では前軸が後軸に対して回転できない構造
等が挙げられるが、前記１）や２）の構造では、構造の複雑化、部品点数の増加、製造コストの高騰化等の問題があり、前記３）のセーフティー機構が有利であり、また、種々検討した結果、前記した実開昭６１−１８３６９１号公報に記載された考案のセーフティー機構の構造が、回転繰出式筆記具におけるセーフティー機構として利用でき、従来の回転繰出機構の構造をそのまま利用できることを知見し、本発明に至った。
【特許文献１】実開昭６１−１８３６９１号号公報
【発明の開示】
【発明が解決しようとする課題】
【０００９】
解決しようとする問題点は、回転繰出式筆記具において、ポケット等に挿着して携帯した際に、振動等により前軸が後軸に対して回転して軸筒内に収納された筆記体の筆記先端部が軸筒の前軸の先端開口部より突出し、筆記先端部がポケット等の布地に触れ、筆記体に収納されたインキによりポケットを汚してしまうという点である。
【課題を解決するための手段】
【００１０】
本発明は回転繰出式筆記具において、ポケット等に挿着して携帯した際には、前軸が後軸に対して回転しないようにしたもので、
「１．軸筒を前軸と後軸とに形成して、前軸と後軸を互いに回転可能に連設し、前軸に連動して回転可能に設けた内筒体の内部に配設した、後軸に連動して回転可能な回転カムと軸筒内に収納した１つ又は複数の筆記体の後端に連接した摺動体とで、後軸が前軸に対して回転することにより、回転カムに形成したカム斜面と該カム斜面に当接する摺動体のカム突起とのカム作用で筆記体を前後動させ、筆記体の筆記先端部を前軸の先端開口部より出没させてなる回転繰出機構を有し、軸筒の外側面にクリップを配設した回転繰出式筆記具において、クリップのクリップ片に後軸の外周面に向かって突出した突起部を形成し、該突起部に対向した後軸の外周面に貫通した係合孔を形成し、該係合孔に係合可能であって突起部に当接可能な、弾性部材で後軸の内壁面に向かって付勢した係合体を内筒体の外周面に付設し、筆記体の筆記先端が前軸の先端開口部に没入した状態では、係合体が係合孔に対向して位置し、クリップの突起部が係合孔に嵌入して係合体に当接し、該係合体を後軸内に没入させ、後軸を前軸に対して回転可能ならしめ、クリップのクリップ片が持ち上がり突起部が係合孔から離脱した際には、係合体が係合孔に係合することにより後軸が前軸に対して回転不能とならしめたことを特徴とする回転繰出式筆記具。
２．前記突起部が、クリップ片の先端部に設けた後軸の外側面に向かって突出した玉部である、１項に記載の回転繰出式筆記具。」
とするものである。
【発明の効果】
【００１１】
本発明の回転繰出式筆記具は前記したような構造なので、ポケット等に挿着した際には、前軸は後軸に対して回転することがないので、軸筒内に収納された筆記体の筆記先端部が軸筒の前軸の先端開口部より突出してしまい、筆記先端部がポケット等の布地に触れることがなく、布地をインキで汚してしまうということがない。
【００１２】
また、従来の回転繰出機構の構造をそのまま利用でき、構造も簡単で部品点数の僅かな増加で良く、製造コストの大幅な高騰もないという利点がある。
【発明を実施するための最良の形態】
【００１３】
クリップ片に形成した突起部を、前記係合孔に係合する必要があるが、突起部の全体が係合孔に係合する必要はなく、突起部が係合孔に係合して係合体を押圧し、該係合体を後軸内に完全に没入させることが可能な程度に係合すれば良い。また、クリップのクリップ片に形成する突起部をクリップの玉部で構成することで、クリップ片に新たな突起部を設ける必要がなく、従来のクリップ形状のものをそのまま使用することができ、クリップの加工性、デザイン性、コスト面で従来のクリップと遜色なく実現できる。
【００１４】
前軸に固定した内筒体の外周面に、弾性部材で後軸の内壁面に向かって付勢した係合体を付設するが、係合体を有底上の円筒体として、その内部にコイルスプリングを圧入等により挿着し、内筒体の外周面に円筒状の凹溝を設けて、そこに前記係合体およびコイルスプリングを保持させれば、いたって簡単に付設することができる。
【実施例１】
【００１５】
本発明の実施例を図面を用いて説明する。
本実施の形態では、発明を理解しやすくするために、１本のボールペン体を軸筒内に収容した回転繰出式ボールペンとして説明を行うが、軸筒内に、複数のボールペン体やシャープペンシル体を収容した複合筆記具であっても良い。
【００１６】
本発明の実施例の回転繰出式筆記具１は、図１に示すように、軸筒２を前軸３と後軸４とにより形成してある。軸筒２内には１つのボールペン体５を、コイルスプリング６より後軸４の後端側４ａに付勢して１つ収容してある。後軸４にはクリップ７を装着してあり、クリップ７のクリップ片７ａの先端には玉部としての作用を兼ね備える球状体８が、後軸４の外周面を押圧するようにして設けてある。
【００１７】
従来の回転繰出式筆記具の構造と同様に、前軸３には継手９が螺着してあり、該継手９に円筒状の内筒体１０を螺着してある。したがって、内筒体１０は、前軸３が回転することにより継手９を介して連動して回転可能としてある。後軸４内には、該後軸４に螺着した頭冠１１により吊りあげられた吊駒１２が配設してある。吊駒１２は後軸４に連動して回転可能としてある。
【００１８】
前記内筒体１０の後端１０ａは、図４に示すように、貫通した孔１３を有した有底状としてある。内筒体１０内には、従来より知られている回転繰出機構を構成する、円筒状の回転カム１４と摺動体１５を配設してある。回転カム１４は、前記孔１３より回転カム１４の小径端部１６を後方に突出させて配設してある。小径端部１６は後端がさらに小径な最小径端部１７に形成してあり、該最小径端部１７は前記吊駒１２と平行ピン１８で固着されている。これにより、回転カム１４は、後軸４の回転に伴い前記吊駒１２を介して連動して回転可能してある。
【００１９】
ボールペン体５の後端には、後端に当接した前記回転カム１４のカム斜面１９（図２を参照）に当接するカム突起２０を有した摺動体１５を、回転カム１４内に収容して配設してある。前記カム突起２０は、摺動体１５に形成した貫通した長孔２８に係合させて、後軸４の回転に伴う回転カム１４の回転に対して、連動して回転しないようにしてある。
【００２０】
以上のような構造により、後軸４を前軸３に対して回転させることにより、後軸４の回転に連動して回転カム１４も回転し、該回転カム１４と摺動体１５の作用によりボールペン体５を前後動させ、ボールペン体５の筆記先端部を前軸３の先端開口部３ａより出没させる。
【００２１】
組立性を考慮して、実際には、内筒体１０内に回転カム１４と摺動体１５を配設して、回転カム１４と吊駒１２を平行ピン１６で連接し、この内筒体１０を継手９に螺着して接着剤で固着して一体化し、後軸４、ボールペン体５、前軸３を組み込む等して組立てる。
【００２２】
本発明に基づく新たな構造としは、先ず、後軸４の外周面の前記クリップ７の球状体８に対向した位置に、該球状体８の一部が少なくとも後軸４の外周面の肉壁厚より内方に突出するような大きさの貫通した係合孔２１を形成する。
【００２３】
ボールペン体５の筆記先端部５ａが前軸３の先端開口部３ａに没入した状態において、前記係合孔２１に対向する内筒体１０の外周面には、図３に示すように、リング状の大径部２２を形成してあり、前記係合孔２１に対向した部分に円形状の凹溝２３を設けてある。
【００２４】
図４及び図５に示すように、先ず、前記係合孔２１に係合する有底の円筒状で、後軸４の内壁面に当接可能な鍔部２４を有した係合体２５を形成し、内部にコイルスプリング２６を挿着したものを形成する。前記した内筒体１０内に回転カム１４と摺動体１５を配設して、回転カム１４と吊駒１２を平行ピン１８で連接し、この内筒体１０を継手９に螺着して接着剤で固着して一体化したものの内筒体１０の凹溝２３に、コイルスプリング２６を挿着した係合体２５を載置し、この状態で後軸４内に挿入して配設する。
【００２５】
動作について説明すると、ボールペン体５の筆記先端部５ａが前軸３の先端開口部３ａに没入した状態では、図６に示すように、内筒体１０の凹溝２３に載置した係合体２５がが後軸４に形成した係合孔２１に対向するように配設してあり、クリップ７の球状体８が係合孔２１に嵌入して係合体２５を押圧し、係合体を後軸４内に没入させている。したがって、図７に示すように、内筒体１０と連接した前軸３に対し後軸４は回転可能であり、回転させてボールペン体５の筆記先端部５ａを前軸３の先端開口部３ａより突出させることができる。
【００２６】
ボールペン体５の筆記先端部５ａが前軸３の先端開口部３ａに没入した状態でポケット等に挿着した時は、図８に示すように、クリップ７のクリップ片７ａが布地２７により持ち上がり、クリップ７の球状体８が係合孔２１から離脱し、係合体２５が係合孔２１に係合する。したがって、後軸４は内筒体１０に対して即ち前軸３に対して回転不可能となる。
【図面の簡単な説明】
【００２７】
【図１】実施例を示す回転繰出式筆記具の縦断面図で、ボールペン体の筆記先端部が前軸の先端開口部に没入した状態を示す図である。
【図２】ボールペン体、摺動体及び回転カムを分解した状態を示す拡大図である。
【図３】内筒体の拡大正面図である。
【図４】内筒体に係合体を載置した状態を示す側面の縦断面図である。
【図５】図４における要部の拡大図である。
【図６】ボールペン体の筆記先端部が前軸の先端開口部に没入した状態の回転防止機構の要部を示した拡大図である。
【図７】ボールペン体の筆記先端部が前軸の先端開口部より突出した状態の回転防止機構の要部を示した図である。
【図８】ボールペン体の筆記先端部が前軸の先端開口部に没入した状態で、ポケット等に挿着した時の回転防止機構の状態を示した要部拡大図である。
【符号の説明】
【００２８】
１    回転繰出式筆記具
２    軸筒
３    前軸
４    後軸
５    ボールペン体
７    クリップ
７ａ  クリップ片
８    球状体
１０    内筒体
１４    回転カム
１７    カム斜面
１８    カム突起
１９    摺動体
２０    係合孔
２４    係合体
２５    コイルスプリング
【図１】
2005205743.tif 000003
【図２】
2005205743.tif 000004
【図３】
2005205743.tif 000005
【図４】
2005205743.tif 000006
【図５】
2005205743.tif 000007
【図６】
2005205743.tif 000008
【図７】
2005205743.tif 000009
【図８】
2005205743.tif 000010